【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
反射性エネルギー又は反射性物質である収集対象を収集するための収集構造であって、
反射面を有する第１反射手段と、
反射面を有する第２反射手段とを備え、
前記第１反射手段の反射面の開口直径を、前記第２反射手段の反射面の開口直径より大きくし、
前記第１反射手段の反射面と前記第２反射手段の反射面とが相互に対向するように、前記第１反射手段と前記第２反射手段とを配置した、
収集対象の収集構造。
【請求項２】
前記第１反射手段の反射面の開口直径を、前記第２反射手段の反射面の開口直径より大きくした、
請求項１に記載の収集対象の収集構造。
【請求項３】
前記第１反射手段の反射面は、第１放物面であり、
前記第２反射手段の反射面は、第２放物面である、
請求項１又は２に記載の収集対象の収集構造。
【請求項４】
前記第１放物面の焦点と前記第２放物面の焦点とが相互に一致するように、前記第１反射手段と前記第２反射手段とを配置した、
請求項３に記載の収集対象の収集構造。
【請求項５】
前記第１放物面の一方の端部と前記第１放物面の焦点とを結ぶ仮想直線上に、前記第２放物面が存在しないように、かつ、前記第１放物面の他方の端部と前記第１放物面の焦点とを結ぶ仮想直線上に、前記第２放物面が存在しないように、前記第１反射手段及び前記第２反射手段を形成した、
請求項３又は４に記載の収集対象の収集構造。
【請求項６】
前記収集対象は、前記反射性エネルギーであり、
前記第１反射手段の反射面による反射又は前記第２反射手段の反射面による反射を経て収集された前記反射性エネルギーにより発電する発電手段を備えた、
請求項１から５のいずれか一項に記載の収集対象の収集構造。
【請求項７】
前記収集対象は、前記反射性エネルギーであり、
前記第１反射手段の反射面と前記第２反射手段の反射面との相互間に、前記反射性エネルギーを吸収する吸収性材料を配置した、
請求項１から５のいずれか一項に記載の収集対象の収集構造。
【請求項８】
前記収集対象は、前記反射性エネルギーであり、
前記第１反射手段の反射面又は前記第２反射手段の反射面に、前記反射性エネルギーを吸収する吸収性材料を配置した、
請求項１から５のいずれか一項に記載の収集対象の収集構造。
【手続補正２】
【補正対象書類名】明細書
【補正対象項目名】０００６
【補正方法】変更
【補正の内容】
【０００６】
上述した課題を解決し、目的を達成するために、請求項１に記載の収集構造は、反射性エネルギー又は反射性物質である収集対象を収集するための収集構造であって、反射面を有する第１反射手段と、反射面を有する第２反射手段とを備え、前記第１反射手段の反射面の開口直径を、前記第２反射手段の反射面の開口直径より大きくし、前記第１反射手段の反射面と前記第２反射手段の反射面とが相互に対向するように、前記第１反射手段と前記第２反射手段とを配置した、収集対象の収集構造である。
請求項２に記載の収集構造は、請求項１に記載の収集構造において、前記第１反射手段の反射面の開口直径を、前記第２反射手段の反射面の開口直径より大きくした、収集対象の収集構造である。
請求項３に記載の収集構造は、請求項１又は２に記載の収集構造において、前記第１反射手段の反射面は、第１放物面であり、前記第２反射手段の反射面は、第２放物面である、収集対象の収集構造である。
【手続補正３】
【補正対象書類名】明細書
【補正対象項目名】０００７
【補正方法】変更
【補正の内容】
【０００７】
また、請求項４に記載の収集構造は、請求項３に記載の収集構造において、前記第１放物面の焦点と前記第２放物面の焦点とが相互に一致するように、前記第１反射手段と前記第２反射手段とを配置した、収集対象の収集構造である。
【手続補正４】
【補正対象書類名】明細書
【補正対象項目名】０００８
【補正方法】変更
【補正の内容】
【０００８】
また、請求項５に記載の収集構造は、請求項３又は４に記載の収集構造において、前記第１放物面の一方の端部と前記第１放物面の焦点とを結ぶ仮想直線上に、前記第２放物面が存在しないように、かつ、前記第１放物面の他方の端部と前記第１放物面の焦点とを結ぶ仮想直線上に、前記第２放物面が存在しないように、前記第１反射手段及び前記第２反射手段を形成した、収集対象の収集構造である。
【手続補正５】
【補正対象書類名】明細書
【補正対象項目名】０００９
【補正方法】変更
【補正の内容】
【０００９】
また、請求項６に記載の収集構造は、請求項１から５のいずれか一項に記載の収集構造において、前記収集対象は、前記反射性エネルギーであり、前記第１反射手段の反射面による反射又は前記第２反射手段の反射面による反射を経て収集された前記反射性エネルギーにより発電する発電手段を備えた、収集対象の収集構造である。
【手続補正６】
【補正対象書類名】明細書
【補正対象項目名】００１０
【補正方法】変更
【補正の内容】
【００１０】
また、請求項７に記載の収集構造は、請求項１から５のいずれか一項に記載の収集構造において、前記収集対象は、前記反射性エネルギーであり、前記第１反射手段の反射面と前記第２反射手段の反射面との相互間に、前記反射性エネルギーを吸収する吸収性材料を配置した、収集対象の収集構造である。
【手続補正７】
【補正対象書類名】明細書
【補正対象項目名】００１１
【補正方法】変更
【補正の内容】
【００１１】
また、請求項８に記載の収集構造は、請求項１から５のいずれか一項に記載の収集構造において、前記収集対象は、前記反射性エネルギーであり、前記第１反射手段の反射面又は前記第２反射手段の反射面に、前記反射性エネルギーを吸収する吸収性材料を配置した、収集対象の収集構造である。
【手続補正８】
【補正対象書類名】明細書
【補正対象項目名】００１３
【補正方法】変更
【補正の内容】
【００１３】
また、請求項４に記載の収集構造によれば、第１反射手段で反射されて当該第１反射手段の焦点に集めた収集対象を、第１反射手段の焦点において利用や低減できなかった場合においても、第２反射手段で反射して第１反射手段に高効率で進行させることが可能になり、収集対象の収集効率を一層向上させることが可能となる。
【手続補正９】
【補正対象書類名】明細書
【補正対象項目名】００１４
【補正方法】変更
【補正の内容】
【００１４】
また、請求項５に記載の収集構造によれば、第１反射器で反射された収集対象を、第２反射器に当てることなく第１反射手段の焦点に集めることができ、収集対象の収集効率を一層向上させることが可能となる。
【手続補正１０】
【補正対象書類名】明細書
【補正対象項目名】００１５
【補正方法】変更
【補正の内容】
【００１５】
また、請求項６に記載の収集構造によれば、収集された反射性エネルギーにより発電を行うことができるので、反射性エネルギーを再生可能エネルギーとして有効に利用することが可能になる。
【手続補正１１】
【補正対象書類名】明細書
【補正対象項目名】００１６
【補正方法】変更
【補正の内容】
【００１６】
また、請求項７に記載の収集構造によれば、第１放物面と第２放物面との相互間に配置した吸収性材料に、反射性エネルギーを吸収させることができるので、反射性エネルギーを効率的に減衰させることが可能になる。
【手続補正１２】
【補正対象書類名】明細書
【補正対象項目名】００１７
【補正方法】変更
【補正の内容】
【００１７】
また、請求項８に記載の収集構造によれば、第１放物面又は第２放物面に配置した吸収性材料に、反射性エネルギーを吸収させることができるので、反射性エネルギーを効率的に減衰させることが可能になる。